(57)【要約】      （修正有）【課題】歯槽膿漏や歯肉炎を予防する薬物の歯茎への浸透性を積極的に高めて歯周病や歯槽膿漏等の予防や治療効果を著しく向上させるバブル口内洗浄器を提供する。【解決手段】洗浄液供給手段２と、洗浄液供給手段２に装着される洗浄液吐出管３と、洗浄液吐出管３の先端に設けられる洗浄液噴射ノズル４とを備える。かつ、洗浄液供給手段２の洗浄液収容タンク２１内に、直径が１０ナノから３００ミクロン以下の空気又は酸素などで出来たバブルを１ｍｌ当たり５０００個以上含む水溶液と、この水溶液の容量に対し５０％以下で歯槽膿漏及び歯肉炎を予防する薬物を含む口内洗浄液とからなる。これら水溶液と口内洗浄液とを混ぜ合わせたバブル口内洗浄液１０を収容し、バブル口内洗浄液１０を洗浄液噴射ノズル４からジェット水流として噴射し口内を洗浄する。【選択図】図１
0003178516.tif 000002
【実用新案登録請求の範囲】
【請求項１】
洗浄液収容タンクを有する洗浄液供給手段と、洗浄液供給手段に装着される洗浄液吐出管と、洗浄液吐出管の先端に設けられる洗浄液噴射ノズルとを備え、かつ、洗浄液供給手段の洗浄液収容タンク内に、直径が１０ナノから３００ミクロン以下の空気又は酸素などで出来たバブルを１ｍｌ当たり５０００個以上含む水溶液とこの水溶液の容量に対し５０％以下で歯槽膿漏及び歯肉炎を予防する薬物を含む口内洗浄液とからなり、これら水溶液と口内洗浄液とを混ぜ合わせたバブル口内洗浄液を収容し、このバブル口内洗浄液を洗浄液噴射ノズルからジェット水流として噴射し口内を洗浄するようにしたことを特徴とするバブル口内洗浄液を使ったバブル口内洗浄器。
【考案の詳細な説明】
【技術分野】
【０００１】  本考案は、歯茎及び歯間などの口内洗浄を行う場合に使用するバブル口内洗浄器に関するものである。
【背景技術】
【０００２】  従来、歯周病、歯槽膿漏の予防や治療に対して歯磨き粉や口内洗浄液などが発売されている。そして、歯磨き粉を歯ブラシや指に付けた状態で歯茎や歯間等をブラッシングして口内洗浄を行ったり、或いは、口内洗浄液を口に含んで数回すすぐことにより口内洗浄を行うようにしている。
【考案の概要】
【考案が解決しようとする課題】
【０００３】  しかし、上記した従来の口内洗浄方法によれば、歯磨き粉や口内洗浄液の歯茎及び歯間等への浸透性が悪く、歯槽膿漏や歯肉炎を予防する薬物が歯茎に十分に浸透していないのが現状であり、また歯槽膿漏は一度かかってしまうと現状維持が関の山でなかなか治療が難しく、十分な治療効果が得られていないといった問題があった。【０００４】  そこで、本考案は、歯槽膿漏や歯肉炎を予防する薬物の歯茎への浸透性を積極的に高めて歯周病や歯槽膿漏等の予防や治療効果を向上できるバブル口内洗浄液を使ったバブル口内洗浄器の提供を課題とする。
【課題を解決するための手段】
【０００５】  上記した問題を解決するため、本願の請求項１記載の考案は、洗浄液収容タンクを有する洗浄液供給手段と、洗浄液供給手段に装着される洗浄液吐出管と、洗浄液吐出管の先端に設けられる洗浄液噴射ノズルとを備え、かつ、洗浄液供給手段の洗浄液収容タンク内に、直径が１０ナノから３００ミクロン以下の空気又は酸素などで出来たバブルを１ｍｌ当たり５０００個以上含む水溶液とこの水溶液の容量に対し５０％以下で歯槽膿漏及び歯肉炎を予防する薬物を含む口内洗浄液とからなり、これら水溶液と口内洗浄液とを混ぜ合わせたバブル口内洗浄液を収容し、このバブル口内洗浄液を洗浄液噴射ノズルからジェット水流として噴射し口内を洗浄するようにしたことを特徴とする。
【考案の効果】
【０００６】  本考案のバブル口内洗浄液を使ったバブル口内洗浄器によれば、バブル水溶液と口内洗浄液とが混ざったバブル口内洗浄液を所望する歯茎及び歯間等に正確容易にかつ奥部まで噴射することができながら、バブル口内洗浄液のナノバブルが大きな洗浄効果を発揮することができ、しかも、泡が極めて小さいので口内洗浄液の歯槽膿漏および歯肉炎を予防する薬物が歯茎に浸透しやすくなり、その結果、高い予防効果や治療効果が得られる。
【図面の簡単な説明】
【０００７】
【図１】本考案に係るバブル口内洗浄器の斜視図である。
【図２】同バブル口内洗浄液の説明図である。
【図３】同バブル口内洗浄器により歯を洗浄する場合の説明図である。
【考案を実施するための形態】
【０００８】  以下本考案の実施の形態を図に基づいて説明する。
【０００９】  図１は、本考案に係るバブル口内洗浄液を使ったバルブ口内洗浄器１を示し、バブル口内洗浄器１は洗浄液供給手段２と、洗浄液供給手段２に装着される洗浄液吐出管３と、洗浄液吐出管３の先端に設けられる洗浄液噴射ノズル４とを備えている。洗浄液供給手段２は、ポンプ機能を有する洗浄液収容タンク２１からなり、洗浄液収容タンク２１には、洗浄液を注入するための開閉蓋２２が設けられている。押圧式の操作部（ボタン）５を押圧することにより、洗浄液収容タンク２１内の洗浄液がポンプ作用により洗浄液吐出管３内を介して先端に設けた洗浄液噴射ノズル４からジェット噴射されるように構成されている。
【００１０】  そして、洗浄液供給手段２の洗浄液収容タンク２１内には、直径が１０ナノから３００ミクロン以下の空気又は酸素などで出来たバブルを１ｍｌ当たり５０００個以上含む水溶液１０ａと、この水溶液の容量に対し５０％以下で歯槽膿漏及び歯肉炎を予防する薬物を含む口内洗浄液１０ｂとからなり、これら水溶液１０ａと口内洗浄液１０ｂとを混ぜ合わせたバブル口内洗浄液１０を収容している。この洗浄液収容タンク２１内のバブル口内洗浄液１０を上記したように操作部５の押圧操作により洗浄液吐出管３を介して洗浄液噴射ノズル４からジェット水流として噴射し、口内を洗浄するようにしたのである。
【００１１】  バブル口内洗浄液１０は、詳しくは図２に示すようにマイクロバルブ発生機構（図示せず）を用いて形成した直径が１０ナノから３００ミクロン以下の空気又は酸素などで出来たバブルを１ｍｌ当たり５０００個以上含む水溶液１０ａと、この水溶液の容量に対し５０％以下で歯槽膿漏及び歯肉炎を予防する薬物を含む口内洗浄液１０ｂを混ぜ合わせて形成したものである。
【００１２】  バブル口内洗浄液１０の薬物としては、たとえば歯槽膿漏や歯肉炎を予防するためのヒノキチオール、クリチルリチンさんジカリウム、ムクロジエキス、トウキエキス等を配合している。なお、その他の薬物を配合してもよいことは勿論である。また、界面活性剤は必ずしも必要でなく省略してもよい。
【００１３】  次に、以上のように構成したバブル口内洗浄液１０を使ったバルブ口内洗浄器１の作用について述べる。
【００１４】  まず、図２に示すようにバブル口内洗浄器１の洗浄液収容タンク２１内に、上記したマイクロ発生機構により形成した直径が１０ナノから３００ミクロン以下の空気又は酸素などで出来たバブルを１ｍｌ当たり５０００個以上含むバブル水溶液１０ａと、この水溶液の容量に対し５０％以下で歯槽膿漏及び歯肉炎を予防する薬物を含む口内洗浄液１０ｂとを混入する。そして、タンク２１の蓋を閉じバブル口内洗浄器１へのバブル口内洗浄液１０の装填を完了する。この場合、バブル水溶液１０ａと口内洗浄液１０ｂとを予め混ぜ合わせたバルブ口内洗浄液１０を入れる他、洗浄液収容タンク２１に、バブル水溶液１０ａと口内洗浄液１０ｂとを別々に混入してもよい。
【００１５】  次に、バルブ口内洗浄器１の操作部５を押圧操作し、バブル水溶液１０ａと口内洗浄液１０ｂとが混ざったバブル口内洗浄液１０を、洗浄液吐出管３を介して洗浄液噴射ノズル４からエアー入りのジェット水流として図３に示すように歯茎及び歯間等に噴射し、口内を洗浄する。この噴射洗浄時、エアーを同時に噴射する方が望ましいが、必ず入れなくてもよい。
【００１６】  これにより、バブル水溶液１０ａと口内洗浄液１０ｂとが混ざったバブル口内洗浄液１０を所望する歯茎及び歯間等に正確容易にかつ奥部まで噴射することができながら、バブル口内洗浄液１０のナノバブルが大きな洗浄効果を発揮する。特に、泡が極めて小さいので口内洗浄液１０ｂの歯槽膿漏および歯肉炎を予防する薬物が歯茎に浸透しやすくなり、その結果、高い予防効果や治療効果が得られる。
【符号の説明】
【００１７】  １          バルブ口内洗浄器
２          洗浄液供給手段
２１        洗浄液収容タンク
３          洗浄液吐出管
４          洗浄液噴射ノズル
１０        バブル口内洗浄液
１０ａ      バブル水溶液
１０ｂ      口内洗浄液
【図１】
0003178516.tif 000003
【図２】
0003178516.tif 000004
【図３】
0003178516.tif 000005